(57)【要約】【課題】電池パックの状態を監視すると共にＡＣ電源を用いて電池パックを充電する充電制御回路の電力消費を小さくする。【解決手段】ＡＣアダプタ１２（ＡＣ電源）が接続されている状態で電池パック１８が取り付けられたとき、スイッチＳＷ２をオンとしてリニアレギュレータ４６をオンして充電制御回路４４を起動し、起動した充電制御回路４４によりスイッチＳＷ１をオンとし、メインコントローラ５０によりリニアレギュレータ４６をオンして充電制御回路４４への給電を継続して、この充電制御回路４４により電池パック１８の残容量を検出すると共にＡＣ電源からの電力により電池パック１８を充電する。メインコントローラ５０は、充電制御回路４４から残容量を入力し電池パック１８の満充電を判定すると、リニアレギュレータ４６をオフして充電制御回路４４をシャットダウンする。【選択図】図３
2009165268.tif 000002
【特許請求の範囲】
【請求項１】
電気機器に搭載され、外部電源と二次電池とを取り付け可能な電源装置であって、
前記外部電源または前記二次電池からの電力の供給を受けて作動し、前記二次電池の残容量を検出すると共に前記外部電源からの電力により前記二次電池を充電する充電制御回路と、
前記外部電源と前記二次電池とが取り付けられたときには、前記外部電源または前記二次電池からの電力を前記充電制御回路に供給し、前記電気機器の電源スイッチがオフされ且つ前記検出された残容量に基づいて前記二次電池の満充電が判定されたときには前記外部電源または前記二次電池から前記充電制御回路への電力の供給を遮断する電力供給遮断手段と、
を備える電源装置。
【請求項２】
前記電力供給遮断手段は、前記外部電源が取り外されたときには前記二次電池が満充電か否かに拘わらず前記充電制御回路への電力の供給を遮断する手段である請求項１記載の電源装置。
【請求項３】
前記充電制御回路は、前記二次電池の電圧，温度，内部インピーダンスの少なくとも一つに基づいて前記二次電池の残容量を検出する手段である請求項１または２記載の電源装置。
【請求項４】
前記電気機器は、印刷装置である請求項１ないし３いずれか１項に記載の電源装置。
【請求項５】
請求項１ないし４いずれか１項に記載の電源装置を搭載する電気機器。
【発明の詳細な説明】
【技術分野】
【０００１】
本発明は、電気機器に搭載され、外部電源と二次電池とを取り付け可能な電源装置およびこれを搭載する電気機器に関する。
【背景技術】
【０００２】
従来より、家庭用の交流電源からの電力をＡＣアダプタによりＡＣ−ＤＣ変換された電力により作動可能で且つ内蔵する二次電池からの電力によっても作動可能な電気機器（例えば、携帯型のパーソナルコンピュータや携帯電話，ビデオカメラ，携帯型のプリンタなど）が提案されている（例えば、特許文献１参照）。この電気機器では、家庭用の交流電源に接続されたＡＣアダプタと二次電池とが共に装着されているときには、二次電池の残容量を検出して充電が必要か否かをチェックし、充電が必要なときには満充電となるまで交流電源からの電力を二次電池に供給する充電制御回路を備えている。
【特許文献１】特開２００３−７２０５７号公報
【発明の開示】
【発明が解決しようとする課題】
【０００３】
近年、こうしたタイプの電気機器において、パワーオフ時の二次電池の放電や交流電源の電力消費を抑制して待機電力を低下させることは、省エネルギ化を図る上で重要な課題として考えられるようになってきており、さらなる改善が求められている。
【０００４】
本発明の電源装置および電気機器は、待機電力をより小さくすることを主目的とする。
【課題を解決するための手段】
【０００５】
本発明の電源装置および電気機器は、上述の主目的を達成するために以下の手段を採った。
【０００６】
本発明の電源装置は、
電気機器に搭載され、外部電源と二次電池とを取り付け可能な電源装置であって、
前記外部電源または前記二次電池からの電力の供給を受けて作動し、前記二次電池の残容量を検出すると共に前記外部電源からの電力により前記二次電池を充電する充電制御回路と、
前記外部電源と前記二次電池とが取り付けられたときには、前記外部電源または前記二次電池からの電力を前記充電制御回路に供給し、前記電気機器の電源スイッチがオフされ且つ前記検出された残容量に基づいて前記二次電池の満充電が判定されたときには前記外部電源または前記二次電池から前記充電制御回路への電力の供給を遮断する電力供給遮断手段と、
を備えることを要旨とする。
【０００７】
この本発明の電源装置では、外部電源または二次電池からの電力の供給を受けて作動し二次電池の残容量を検出すると共に外部電源からの電力により二次電池を充電する充電制御回路を構成し、外部電源と二次電池とが取り付けられたときには外部電源または二次電池からの電力を充電制御回路に供給し電気機器の電源スイッチがオフされ且つ検出された残容量に基づいて二次電池の満充電が判定されたときには外部電源または二次電池から充電制御回路への電力の供給を遮断する。したがって、充電制御回路の無駄な電力消費を抑制することができ、パワーオフ時の待機電力をより小さくすることができる。ここで、「電気機器」には、印刷装置が含まれる。
【０００８】
こうした本発明の電源装置において、前記電力供給遮断手段は、前記外部電源が取り外されたときには前記二次電池が満充電か否かに拘わらず前記充電制御回路への電力の供給を遮断する手段であるものとすることもできる。こうすれば、二次電池が満充電となる前に外部電源が取り外されたときでも以降の充電制御回路の無駄な電力消費を抑制することができる。
【０００９】
また、本発明の電源装置において、前記充電制御回路は、前記二次電池の電圧，温度，内部インピーダンスの少なくとも一つに基づいて前記二次電池の残容量を検出する手段であるものとすることもできる。こうすれば、充電制御回路への電力供給の遮断を伴う場合であっても電力の供給を開始した直後に二次電池の残容量を適正に検出することができる。
【００１０】
本発明の電気機器は、
上述した各態様のいずれかの本発明の電源装置、即ち、基本的には、電気機器に搭載され、外部電源と二次電池とを取り付け可能な電源装置であって、前記外部電源または前記二次電池からの電力の供給を受けて作動し、前記二次電池の残容量を検出すると共に該検出した残容量が満充電となるまで前記外部電源からの電力により前記二次電池を充電する充電制御回路と、前記外部電源と前記二次電池とが取り付けられたときには、前記外部電源または前記二次電池からの電力を前記充電制御回路に供給し、前記電気機器の電源スイッチがオフされ且つ前記二次電池の満充電が検出されたときには前記外部電源または前記二次電池から前記充電制御回路への電力の供給を遮断する電力供給遮断手段と、を備える電源装置を搭載する
ことを要旨とする。
【００１１】
この本発明の電気機器では、上述した各態様のいずれかの本発明の電源装置を搭載するから、本発明の電源装置が奏する効果と同様の効果、例えば、充電制御回路の無駄な電力消費を抑制することができ、パワーオフ時の待機電力をより小さくすることができる効果などを奏することができる。
【発明を実施するための最良の形態】
【００１２】
次に、本発明を実施するための最良の形態を図面を用いて説明する。図１は、本発明の一実施形態であるフォトプリンタ１０の外観斜視図およびブロック図、図２は、フォトプリンタ１０の背面斜視図である。
【００１３】
本実施形態のフォトプリンタ１０は、図１に示すように、用紙Ｐにインクを吐出して印刷を行なうプリンタユニット２０と、プリンタ本体の上面に配置され印刷に関する各種操作を行なうための操作パネル３０と、フォトプリンタ１０全体の制御を司るコントローラ５０と、フォトプリンタ１０の作動に必要な電力を供給すると共に必要に応じて電池パック１８を充電するための電源回路４０とを備える。
【００１４】
プリンタユニット２０は、プリンタ本体の内部に搭載され、用紙Ｐを搬送する紙送りローラ２１やその他の図示しない搬送ローラを駆動可能な紙送りモータ２２と、キャリッジモータ２３ａと従動ローラ２３ｂとに架け渡されたベルト２４により紙送りローラ２１に平行に配置されたガイドレール２５に沿って主走査方向に往復動するキャリッジ２６と、キャリッジ２６に搭載され溶媒としての水に着色剤としての染料または顔料を含有したブラック（Ｋ），シアン（Ｃ），マゼンタ（Ｍ），イエロー（Ｙ）の各色のインクを個別に収容するインクカートリッジ２７と、インクカードリッジ２７からインクの供給を受けると共にインクを加圧することによりインク滴を吐出する印刷ヘッド２８とを備える。ここで、インクカードリッジ２７は、プリンタユニット２０の下方に取り付けられており、インクカードリッジ２７がキャリッジ２６上に搭載されていない、いわゆるオフキャリッジタイプとして構成されている。また、印刷ヘッド２８は、本実施形態では、圧電素子に電圧を印加してこの圧電素子を変形させることによりインクを加圧してインク滴を吐出する方式を採用しているが、発熱抵抗体（例えばヒータなど）に電圧を印加してインクを加熱することにより発生した気泡によりインクを加圧してインク滴を吐出する方式を採用するものとしてもよい。
【００１５】
操作パネル３０は、文字や図形，記号を表示可能な液晶のディスプレイ３２と、このディスプレイ３２の周囲に配置されたボタン群３４とを備える。ボタン群３４は、図１に示すように、電源のオンオフを行なうための電源ボタン３４ａ、ディスプレイ３２に表示されている画像等の表示サイズを６分割表示・１５分割表示・全画面表示等に切り替えるための表示切替ボタン３４ｂ、印刷機能に関する複数の選択肢が並んだメインメニュー画面を呼び出すためのメニューボタン３４ｃ、操作を途中でキャンセルしたり用紙Ｐへの印刷を途中で中断したりするためのキャンセルボタン３４ｄ、用紙Ｐへの印刷実行を指示するためのプリントボタン３４ｅ、ディスプレイ３２に表示された複数の選択肢の中から所望の選択肢を選択したりカーソルを移動したりするときに操作される上下左右ボタン３４ｆ、この上下左右ボタン３４ｆの中央に配置され上下左右ボタン３４ｆによって選択されている選択肢に決定したことを指示するためのＯＫボタン３４ｇなどにより構成されている。
【００１６】
フォトプリンタ１０は、図２に示すように、背面側に電池パック１８を着脱可能に形成されており、電池パック１８からの電力の供給を受けて作動できるようになっている。電池パック１８は、複数のリチウムイオン電池が直列接続されたものとして構成されており、満充電の状態で約１６．８Ｖの直流電力を出力する。また、フォトプリンタ１０は、家庭用の交流電力（ＡＣ１００ＶやＡＣ２００Ｖなど）を直流電力（ＤＣ２０Ｖなど）にＡＣ−ＤＣ変換するＡＣアダプタ１２を介して電力の供給を受けて作動できるようにもなっており、背面側にはＡＣアダプタ１２のＤＣプラグ１２ａを差し込み可能なＤＣジャック１１が形成されている。
【００１７】
図３は、電源回路４０の回路図である。電源回路４０は、電源ボタン３４ａに連動し電池パック１８に接続された順方向のダイオードＤ１およびＡＣアダプタ１２に接続された順方向のダイオードＤ２とプリンタユニット２０の上述した紙送りモータ２２や印刷ヘッド２８などの電気駆動系に給電するための電源ライン４１との接続と遮断とを行なうスイッチＳＷ１と、電源ライン４１の出力電圧を制御用電圧（例えば、３．３Ｖなど）にＤＣ−ＤＣ変換してメインコントローラ５０に供給したり他の駆動用電圧（例えば、４２Ｖなど）にＤＣ−ＤＣ変換して他の駆動系に出力したりするＤＣ−ＤＣコンバータ部４２と、電池パック１８の出力電圧を検出する電圧センサと電池温度を検出する温度センサとを内蔵して電池パック１８の残容量を監視すると共に必要に応じて電池パック１８を充電する充電制御回路４４と、メインコントローラ５０からダイオードＤ３を介して入力される制御信号かＡＣアダプタ１２からトランジスタＴ１を介して入力される制御信号かのいずれかにより電池パック１８またはＡＣアダプタ１２からの回路作動用の電力を充電制御回路４４に供給したり遮断したりするリニアレギュレータ４６と、電池パック１８がフォトプリンタ１０に装着された際のトランジスタＴ１のオンオフを制御するためのオンオフ制御回路４８とを備える。トランジスタＴ１は、コレクタがＡＣアダプタ１２に接続され、エミッタが逆方向のダイオードＤ３を介してメインコントローラ５０に接続されると共にリニアレギュレータ４６に接続され抵抗Ｒ１を介してグランドに接地され、ベースがオンオフ制御回路４８に接続されている。
【００１８】
オンオフ制御回路４８は、ＡＣアダプタ１２に抵抗Ｒ２を介して接続され電池パック１８が着脱により連動してオンオフするスイッチＳＷ２を備える。また、ＡＣアダプタ１２には、抵抗Ｒ３，抵抗Ｒ４，コンデンサＣ１，逆方向のダイオードＤ４が順に直列接続されており、抵抗Ｒ３と抵抗Ｒ４との接続点にはトランジスタＴ１のベースが接続されており、コンデンサＣ１とダイオードＤ４との接続点には抵抗Ｒ２とスイッチＳＷ２との接続点が接続されており、抵抗Ｒ４とコンデンサＣ１との接続点にはエミッタが接地されたトランジスタＴ２のコレクタが接続されている。さらに、ＡＣアダプタ１２には、抵抗Ｒ５，順方向のダイオードＤ５，抵抗Ｒ６が順に直列接続されており、ダイオードＤ５と抵抗Ｒ６との接続点にはトランジスタＴ２のベースが接続されており、抵抗Ｒ５とダイオードＤ５との接続点にはエミッタが接地されたトランジスタＴ３のコレクタが接続されている。トランジスタＴ３のベースは、分圧抵抗Ｒ７，Ｒ８により分圧されたＡＣアダプタ１２の出力電圧と電源Ｖ１の出力電圧とを比較するコンパレータＡ１の出力側に接続されている。本実施形態では、電源Ｖ１の出力電圧を、ＡＣアダプタ１２側からの出力電圧が１７．５Ｖ未満でコンパレータＡ１がオフ出力し、１７．５Ｖ以上でコンパレータＡ１がオン出力するよう定めるものとした。ＡＣアダプタ１２はＤＣ２０Ｖの出力として定めているから、ＡＣアダプタ１２を介してＡＣ電源が接続されると、コンパレータＡ１はオン出力し、ＡＣアダプタ１２を介したＡＣ電源の接続が解除されると、コンパレータＡ１はオフ出力することになる。
【００１９】
メインコントローラ５０は、図１に示すように、ＣＰＵ５１と中心としたマイクロプロセッサとして構成されており、ＣＰＵ５１の他に、処理プログラムを記憶するＲＯＭ５２と、データを一時的に記憶するＲＡＭ５３と、入出力ポート５５と、印刷ヘッド２８に印刷信号を出力する転送用バッファ５６とを備えており、これらはバス５７を介して電気的に接続されている。このメインコントローラ５０には、操作パネル３０のボタン類からの操作信号などが入力ポート５５を介して入力されており、メインコントローラ５０からは、印刷ヘッド２８への制御信号やキャリッジモータ２３ａへの駆動信号，紙送りモータ２２への駆動信号，ディスプレイ３２への表示信号などが出力ポート５５を介して出力されている。
【００２０】
次に、こうして構成された本実施形態のフォトプリンタ１０の動作、特に、電源回路４０の動作について説明する。いま、ＡＣアダプタ１２を介してＡＣ電源が接続されている状態で電池パック１８が装着された場合を考える。この場合のＡＣアダプタ１２の出力電圧と図３の電源回路４０のＡ点の電位とＢ点の電位とＣ点の電位の時間変化の様子を図４に示す。電池パック１８が装着されると（時刻ｔ１１）、スイッチＳＷ２がオンし、コンデンサＣ１の充電を伴ってＡＣアダプタ１２から抵抗Ｒ３，抵抗Ｒ４に電流が流れ、トランジスタＴ１をオンする。この際、ＡＣアダプタ１２を介してＡＣ電源が接続されているときには、コンパレータＡ１がオン出力してトランジスタＴ３をオンし、これによりＡＣアダプタ１２から抵抗Ｒ５，トランジスタＴ３に電流が流れると共にダイオードＤ５，抵抗Ｒ６には電流が流れないから、トランジスタＴ２はオフされた状態となっている。トランジスタＴ１がオンすると、ＡＣアダプタ１２の出力電圧はリニアレギュレータ４６に作用（図３中のＣ点の電位が上昇）するから、リニアレギュレータ４６がオンし、ＡＣアダプタ１２と充電制御回路４４とを順方向のダイオードＤ２を介して接続すると共に電池パック１８と充電制御回路４４とを順方向のダイオードＤ１を介して接続する。これにより、充電制御回路４４が起動し、電池パック１８の充電が開始される。充電制御回路４４が起動すると、この充電制御回路４４がスイッチＳＷ１をオンし（時刻ｔ１２）、ＡＣアダプタ１２からＤＣ−ＤＣコンバータ部４２を介してメインコントローラ５０に制御用電圧が作用してメインコントローラ５０が起動し、このメインコントローラ５０がリニアレギュレータ４６をオンする。即ち、スイッチＳＷ２がオンされた直後はＡＣアダプタ１２から抵抗Ｒ３，抵抗Ｒ４，コンデンサＣ１の順に電流が流れてトランジスタＴ１をオンし、これによりリニアレギュレータ４６をオンするが、コンデンサＣ１が完全に充電されると、トランジスタＴ１がオフされて図３中のＣ点の電位は小さくなってリニアレギュレータ４６をオフするため、この前のタイミング（時刻ｔ１２）でメインコントローラ５０によりリニアレギュレータ４６をオンしているのである。なお、電池パック１８が取り外されると（時刻ｔ１３）、メインコントローラ５０がこれを検知し、リニアレギュレータ４６をオフして充電制御回路４４をシャットダウンする。
【００２１】
充電制御回路４４が起動すると、電池パック１８の充電の開始と共に電池パック１８の状態の監視が行われる。電池パック１８の状態の監視は、本実施形態では、電圧センサからの電池パック１８の出力電圧と温度センサからの電池温度とに基づいて残容量を検出し、検出した残容量をメインコントローラ５０に出力することにより行われる。なお、電池パック１８の残容量の検出は、本実施形態では、電池パック１８の出力電圧と電池温度と残容量との関係を予め求めてマップとして記憶しておき、出力電圧と電池温度とが与えられるとマップから対応する残容量を導出することにより行なうものとした。充電制御回路４４から電池パック１８の残容量を入力したメインコントローラ５０は、図５に示す電力遮断処理ルーチンを実行する。図５の電力遮断処理ルーチンでは、メインコントローラ５０のＣＰＵ５１は、充電制御回路４４から電池パック１８の残容量を入力し（ステップＳ１００）、入力した残容量が満充電となるまで待って（ステップＳ１１０）、リニアレギュレータ４６をオフする（ステップＳ１２０）。これにより、電池パック１８の充電が停止されると共に充電制御回路４４はシャットダウンし、充電制御回路４４による電池パック１８の状態の監視は停止されることになる。従って、電池パック１８の状態の監視を常に行なうものに比して充電制御回路４４の消費電力を小さくすることができる。
【００２２】
次に、ＡＣアダプタ１２を介してＡＣ電源が接続されると共に電池パック１８が装着されている状態からＡＣアダプタ１２（ＡＣ電源）が取り外された場合を考える。この場合のＡＣアダプタ１２の出力電圧と図３の電源回路４０のＡ点の電位とＢ点の電位とＣ点の電位の時間変化の様子を図６に示す。ＡＣアダプタ１２が取り外されると（時刻ｔ２１）、ＡＣアダプタ１２の出力電圧が低下し、コンパレータＡ１はオフ出力してトランジスタＴ３をオフする。トランジスタＴ３がオフすると、ＡＣアダプタ１２の出力電圧が完全に値０となるまでの間に亘って一時的に抵抗Ｒ５，順方向のダイオードＤ５，抵抗Ｒ６の順に電流が流れるから、トランジスタＴ２は一時的にオンし、コンデンサＣ１に充電されていた電荷は急速に放電する。この際、ＡＣアダプタ１２の出力電圧により一時的にトランジスタＴ１をオンし、図３中のＣ点の電位を上昇させてリニアレギュレータ４６をオンするが、短時間でＡＣアダプタ１２の出力電圧は値０に近づいてＣ点の電位は下降するから、リニアレギュレータ４６はオフする。電池パック１８のみが装着されている状態で電源ボタン３４ａがオンされると（時刻ｔ２２）、スイッチＳＷ１がオンし、ＤＣ−ＤＣコンバータ部４２により電池パック１８の出力電圧を制御用電圧に変換してメインコントローラ５０に出力し、これにより、メインコントローラ５０が起動し、リニアレギュレータ４６をオンして充電制御回路４４へ電力の供給を行なう。電源ボタン３４ａがオフされると（時刻ｔ２３）、スイッチＳＷ１がオフしてメインコントローラ５０への制御用電圧の供給が遮断され、リニアレギュレータ４６はオフされる。そして、ＡＣアダプタ１２を介してＡＣ電源が再び接続されると（時刻ｔ２４）、コンデンサＣ１の充電を伴ってトランジスタＴ１をオンし、リニアレギュレータ４６をオンして充電制御回路４４を起動し、電池パック１８の充電を開始する。充電制御回路４４が起動されると、この充電制御回路４４がスイッチＳＷ１をオンし、ＡＣアダプタ１２からＤＣ−ＤＣコンバータ部４２を介してメインコントローラ５０に制御用電圧が作用してメインコントローラ５０が起動し、このメインコントローラ５０がリニアレギュレータ４６をオンする。
【００２３】
ここで、本実施形態の構成要素と本発明の構成要素との対応関係を明らかにする。本実施形態のフォトプリンタ１０が「電気機器」に相当し、ＡＣアダプタ１２とＡＣ電源とが「外部電源」に相当し、電池パック１８が「二次電池」に相当し、充電制御回路４４が本発明の「充電制御回路」に相当し、メインコントローラ５０や電源回路４０（充電制御回路４４を除く）が「電力供給遮断手段」に相当する。
【００２４】
以上詳述した本実施形態のフォトプリンタ１０によれば、ＡＣアダプタ１２（ＡＣ電源）と電池パック１８とが取り付けられたとき、充電制御回路４４を起動してこの充電制御回路４４によりＡＣ電源からの電力を電池パック１８に供給して電池パック１８を充電し、電池パック１８が満充電となったときに充電制御回路４４をシャットダウンするから、電池パック１８の状態を監視する充電制御回路４４の電力消費をできる限り小さくすることができる。この結果、フォトプリンタ１０の待機電力をより小さくすることができる。
【００２５】
また、本実施形態のフォトプリンタ１０によれば、ＡＣアダプタ１２を介してＡＣ電源が接続されると共に電池パック１８が装着されている状態からＡＣアダプタ１２（ＡＣ電源）が取り外されたときにも、同様に充電制御回路４４をシャットダウンするから、この場合でも充電制御回路４４の無駄な電力消費を抑制することができる。
【００２６】
本実施形態では、充電制御回路４６は、電池パック１８の出力電圧と電池温度とに基づいて電池パック１８の残容量を検出するものとしたが、これに限られず、電池パック１８を若干充放電させて内部インピーダンスを検出することにより残容量を検出するなど他の如何なる手法を用いるものとしても構わない。
【００２７】
本実施形態では、電池パック１８は、リチウムイオン電池により構成するものとしたが、これに限定されるものではなく、ニッケルカドミウム電池やニッケル水素電池などの他の如何なるタイプの二次電池により構成するものとしても構わない。
【００２８】
本実施形態では、本発明をフォトプリンタ１０に適用して説明したが、これに限定されるものではなく、二次電池からの電力により作動すると共にＡＣ電源からの電力によっても作動するものであれば、携帯型のパーソナルコンピュータや携帯電話機，ビデオカメラ，デジタルスチルカメラ，携帯型の音楽再生機，情報携帯端末など他の如何なる電気機器に適用するものとしても構わない。また、こうした電気機器の形態とするものの他、電源装置の形態とするものとしても構わない。
【００２９】
以上、本発明の実施形態について説明したが、本発明は上述した実施形態に何ら限定されることはなく、本発明の技術的範囲に属する限り種々の態様で実施し得ることは勿論である。
【図面の簡単な説明】
【００３０】
【図１】本実施形態のフォトプリンタ１０の外観斜視図およびブロック図。
【図２】フォトプリンタ１０を背面側から見た斜視図。
【図３】電源回路４０の回路図。
【図４】ＡＣアダプタ出力電圧とＡ点，Ｂ点，Ｃ点の電位の時間変化の様子を示す説明図。
【図５】電力遮断処理ルーチンの一例を示すフローチャート。
【図６】ＡＣアダプタ出力電圧とＡ点，Ｂ点，Ｃ点の電位の時間変化の様子を示す説明図。
【符号の説明】
【００３１】
１０  フォトプリンタ、１１  ＤＣジャック、１２  ＡＣアダプタ、１８  電池パック、２０  プリンタユニット、２１  紙送りローラ、２２  紙送りモータ、２３ａ  キャリッジモータ、２３ｂ  従動ローラ、２４  キャリッジベルト、２５  ガイドレール、２６  キャリッジ、２７  インクカートリッジ、２８  印刷ヘッド、３０  操作パネル、３２  ディスプレイ、３４  ボタン類、３４ａ  電源ボタン、３４ｂ  表示切替ボタン、３４ｃ  メニューボタン、３４ｄ  キャンセルボタン、３４ｅ  プリントボタン、３４ｆ  上下左右ボタン、３４ｇ  ＯＫボタン、４０  電源回路、４２  ＤＣ−ＤＣコンバータ部、４４  充電制御回路、４６  リニアレギュレータ、４８  オンオフ制御回路、５０  メインコントローラ、５１  ＣＰＵ、５２  ＲＯＭ、５３  ＲＡＭ、５５  入出力ポート、５６  転送バッファ、５７  バス、Ｒ１〜Ｒ８  抵抗、Ｄ１〜Ｄ５  ダイオード、Ｔ１〜Ｔ３  トランジスタ、ＳＷ１，ＳＷ２  スイッチ、Ｖ１  電源、Ａ１  コンパレータ。
【図１】
2009165268.tif 000003
【図２】
2009165268.tif 000004
【図３】
2009165268.tif 000005
【図４】
2009165268.tif 000006
【図５】
2009165268.tif 000007
【図６】
2009165268.tif 000008